(57)【要約】【課題】摺動体の移動をスムースに行わしむるようにしながら、その支持位置を摺動方向に直交する方向において容易に調整できるようにする。【解決手段】格納体１にこの格納体１の出入り開口１０を通じた出し入れ可能に組み合わされる摺動体２及びこの格納体１のいずれか一方に備えられてこれらの他方に備えられるこの摺動体２の摺動方向に続く突条２３を支持する支持部材３０と、この支持部材３０の支持位置を前記摺動方向をＸ方向としたときにこのＸ方向に直交するＹ方向に移動調整可能とするアジャスト手段３１とを備えている。【選択図】図１０
2008285159.tif 000002
【特許請求の範囲】
【請求項１】
格納体にこの格納体の出入り開口を通じた出し入れ可能に組み合わされる摺動体及びこの格納体のいずれか一方に備えられて、これらの他方に備えられるこの摺動体の摺動方向に続く突条を支持する支持部材と、
この支持部材の支持位置を、前記摺動方向をＸ方向としたときにこのＸ方向に直交するＹ方向に移動調整可能とするアジャスト手段とを備えていることを特徴とする摺動体の支持装置。
【請求項２】
アジャスト手段による支持部材の支持位置の移動調整が、Ｘ方向とＹ方向とに共に直交するＺ方向にも可能となっていることを特徴とする請求項１記載の摺動体の支持装置。
【請求項３】
アジャスト手段は、
取り付けベースに対しＸ方向にのみ移動可能に組み合わされる第一アジャスターと、
取り付けベースに対しＹ方向にのみ移動可能に組み合わされるスライドパーツと、
スライドパーツに対しＸ方向にのみ移動可能に組み合わされる第二アジャスターとを備えており、
支持部材は、スライドパーツに対しＺ方向にのみ移動可能に組み合わされていると共に、
第一アジャスターとスライドパーツとは、これらの一方に備えられてＸ方向に続き且つ溝前端の位置と溝後端の位置とをＹ方向において異ならせるＹ方向動作用溝と、これらの他方に備えられてこの動作用溝に納まる突部とによって連係されており、
第二アジャスターには、Ｘ方向に続き且つ溝前端の位置と溝後端の位置とをＺ方向において異ならせるＺ方向動作用溝が備えられており、このＺ方向動作用溝に支持部材の一部が納められていることを特徴とする請求項２記載の摺動体の支持装置。
【請求項４】
支持部材は、Ｙ方向に沿った回転軸を中心に回転されるローラによって突条を支持するようになっていることを特徴とする請求項１〜請求項３のいずれか１項に記載の摺動体の支持装置。
【請求項５】
支持部材は、Ｙ方向に沿った回転軸を中心に回転される一対のローラ間に突条を挟み込むようにしてこの突条を支持するようになっていると共に、
支持部材には、この一対のローラ間の間隔を狭める向きにこのローラの少なくとも一方を付勢する付勢手段が備えられていることを特徴とする請求項４記載の摺動体の支持装置。
【請求項６】
摺動体の摺動方向に沿った両側部をそれぞれ請求項１〜請求項５のいずれか１項に記載の摺動体の支持装置によって支持していることを特徴とする摺動体の支持構造。
【請求項７】
摺動体の支持装置を構成する支持部材に対する突条の被支持面を傾斜面とさせていることを特徴とする請求項６記載の摺動体の支持構造。
【発明の詳細な説明】
【技術分野】
【０００１】
この発明は、格納体にこの格納体の出入り開口を通じた出し入れ可能に組み合わされる摺動体をこの摺動を円滑に行わしむるように支持すると共に、その支持位置を調整可能とした支持装置およびかかる格納体と摺動体と支持装置を含んで構成される摺動体の支持構造に関する。
【背景技術】
【０００２】
レールに対してスライド可能にはめ込まれ、且つこのレールの内面に当接されるサポート部材を、摺動体側に備えさせ、摺動方向に直交する向きでの摺動体のガタツキなどを防止するものとして、特許文献１に示されるものがある。
【０００３】
しかし、この特許文献１のものの場合、前記ガタツキは防止できてもレールに対する摩擦力が高くなってスムースな摺動体の移動が損なわれやすく、また、摺動体のレールに対する支持位置の調整ができないため、特許文献１の例で言うならば、摺動体としてのドアを閉めたときこのドアにより閉塞されるコンソールボックスの開口縁とドアとの間に不均一な隙間を生じさせてしまうような場合でも、これを解消させることのできないものであった。
【特許文献１】実公平８−５０６８号公報
【発明の開示】
【発明が解決しようとする課題】
【０００４】
この発明が解決しようとする主たる問題点は、この種の摺動体の移動をスムースに行わしむるようにしながら、その支持位置を摺動方向に直交する方向において容易に調整できるようにする点にある。
【課題を解決するための手段】
【０００５】
前記課題を達成するために、この発明にあっては、摺動体の支持装置を、格納体にこの格納体の出入り開口を通じた出し入れ可能に組み合わされる摺動体及びこの格納体のいずれか一方に備えられてこれらの他方に備えられるこの摺動体の摺動方向に続く突条を支持する支持部材と、この支持部材の支持位置を前記摺動方向をＸ方向としたときにこのＸ方向に直交するＹ方向に移動調整可能とするアジャスト手段とを備えているものとした。
【０００６】
かかる構成によれば、かかる支持部材によって摺動体を摺動可能に支持しながら、この支持部材の支持位置をＹ方向に移動調整することで格納体に対する摺動体の納まり位置をこのＹ方向において調整することができ、典型的には摺動体が格納体に格納されきった状態においてこの出入り開口を摺動体の前端部によって偏りなく塞ぐようにすることができる。
【０００７】
前記アジャスト手段による支持部材の支持位置の移動調整を、Ｘ方向とＹ方向とに共に直交するＺ方向にも可能とするようにしておけば、突条に対する支持部材の支持位置をＹ方向およびＺ方向に調整して格納体への摺動体の納まり位置を調整させことができる。
【０００８】
前記アジャスト手段を、
取り付けベースに対しＸ方向にのみ移動可能に組み合わされる第一アジャスターと、
取り付けベースに対しＹ方向にのみ移動可能に組み合わされるスライドパーツと、
スライドパーツに対しＸ方向にのみ移動可能に組み合わされる第二アジャスターとを備えており、
支持部材は、スライドパーツに対しＺ方向にのみ移動可能に組み合わされていると共に、
第一アジャスターとスライドパーツとは、これらの一方に備えられてＸ方向に続き且つ溝前端の位置と溝後端の位置とをＹ方向において異ならせるＹ方向動作用溝と、これらの他方に備えられてこの動作用溝に納まる突部とによって連係されており、
第二アジャスターには、Ｘ方向に続き且つ溝前端の位置と溝後端の位置とをＺ方向において異ならせるＺ方向動作用溝が備えられており、このＺ方向動作用溝に支持部材の一部が納められているものとしておくこともある。
【０００９】
第一アジャスターをＸ方向に移動操作すると、Ｙ方向動作用溝の形状によって取り付けベースにＹ方向にのみ移動可能に組み合わされているスライドパーツはこのＹ方向の一方側又は他方側に向けてスライド移動される。また、第二アジャスターをＸ方向に移動操作すると、Ｚ方向動作用溝の形状によってスライドパーツにＺ方向にのみ移動可能に組み合わされている支持部材はこのＺ方向の一方側又は他方側に向けてスライド移動される。これによって、突条に対する支持部材の支持位置をＹ方向およびＺ方向に調整して格納体への摺動体の納まり位置を調整させことができる。
【００１０】
前記支持部材を、Ｙ方向に沿った回転軸を中心に回転されるローラによって突条を支持するように構成させておけば、摺動体を円滑に移動させるようにしてこれを支持することができる。
【００１１】
前記支持部材を、Ｙ方向に沿った回転軸を中心に回転される一対のローラ間に突条を挟み込むようにしてこの突条を支持するようにしておくと共に、
この支持部材に、この一対のローラ間の間隔を狭める向きにこのローラの少なくとも一方を付勢する付勢手段を備えさせておくこともある。
【００１２】
このようにした場合、突条を一対のローラで挟み込むことでＹ方向への摺動体の位置ズレを付勢手段によって矯正できるようにした状態で摺動体の円滑な移動を支持部材によって確保させることができる。また、アジャスト手段による支持部材の支持位置の移動調整に追随して摺動体の格納体への納まり位置を調整させることができる。
【００１３】
また、この発明にかかる摺動体の支持構造は、摺動体の摺動方向に沿った両側部をそれぞれ以上に述べた摺動体の支持装置によって支持させるようにしたものである。
【００１４】
かかる支持構造にあっては、格納体に対する摺動体の納まり位置を、摺動体の摺動方向に沿った両側部においてそれぞれ調整することができ、例えば摺動体が格納体に格納されきった状態においてこの出入り開口を摺動体の前端部によって偏りなく塞ぐようにすることができる。
【００１５】
また、このように支持構造において、支持装置を構成する支持部材に対する突条の被支持面を傾斜面とさせておけば、左右の支持部材によって摺動体をその摺動方向に沿った両側から摺動体の摺動の中心線側に向けて押圧させることができ、これにより摺動体を一定位置に位置づけさせ易くできる。
【発明の効果】
【００１６】
この発明にかかる支持装置によれば、支持部材は摺動体の移動を損なうことがなく、また、この支持部材の支持位置をアジャスタ手段によって可変させることで格納体への摺動体の納まり位置を摺動方向に直交する方向において容易に調整することができる。これにより、格納体の出入り開口を格納位置において摺動体が見栄え良く塞ぎ、またその摺動においてガタツキや格納体との意図しない接触などが生じないようにすることができる。
【発明を実施するための最良の形態】
【００１７】
以下、図１〜図１４に基づいて、この発明を実施するための最良の形態について説明する。
【００１８】
なお、ここで図１ないし図３は、この発明を適用して構成された支持構造の一例をそれぞれ示しおり、図１および図２において後述するＸ方向を矢印ｘにて、Ｙ方向を矢印ｙにて、Ｚ方向を矢印ｚにて、それぞれ示している。
【００１９】
また、図４〜図１１は、かかる支持構造を構成する支持装置３をそれぞれ表しており、また、図１２は、この支持装置３を構成する支持部材３０の構成各部品を分離させた状態として、また、図１３は、この支持装置３を構成するスライドパーツ３１１、第一アジャスター３１２、第二アジャスター３１３および取り付けベース３２を分離させた状態として、また、図１４は、このうちのスライドパーツ３１１を図１３と異なる向きから視て示している。
【００２０】
この実施の形態にかかる支持装置３は、格納体１にこの格納体１の出入り開口１０を通じた出し入れ可能に組み合わされる摺動体２をこの摺動を円滑に行わしむるように支持すると共に、その支持位置を調整可能としたものである。また、この実施の形態にかかる支持構造は、かかる格納体１と摺動体２と支持装置３を含んで構成されるものである。
【００２１】
図示の例では、かかる摺動体２を引き出しとした例を示している。一方、図示の例では、格納体１は、上下方向を小さく、前後方向と左右方向とを共に大きく構成された、平面視の状態においておおむね正方形の輪郭を持った箱状体として構成されている。（図１）格納体１の前面に前記正方形の一辺に亘るような左右方向に長い出入り開口１０が形成されている。摺動体２は、格納体１の左右側部１１、１１の内面間に隙間少なく納まる巾を有すると共に、その前端に出入り開口１０を前方から覆う大きさの蓋板２０を有している。そして、摺動体２は、この蓋板２０によって出入り開口１０を塞ぐ格納位置（図３の位置）から前方に向けて引き出し移動され、また、引き出された摺動体２は再び格納位置まで入れ込み移動されるようになっている。図示の例では、かかる摺動体２には左右二箇所に容器挿入孔２１が設けられると共に、摺動体２の下面側には摺動体２が引き出しきられた位置で前端を下方に降下させて容器挿入孔２１の直下にこの前端を位置させるように後端側で摺動体２に回動可能に支持された容器底部の支持アーム２２が備えられている。そして、摺動体２を引き出した状態で容器挿入孔２１に上方から入れ込まれた飲料容器などの側部をこの容器挿入孔２１によって、また、この飲料容器の底部を支持アーム２２の前端で支持するようになっている。すなわち、図示の例は、自動車の室内などに備えられるカップホルダーにこの発明を適用したものとなっている。例えば、摺動体２が自動車のインストルメントパネルに開設された出入り開口１０を通じた出し入れ可能なボックスやトレイなどとされる場合、この摺動体２の支持部材３０とインストルメントパネルなどとが一緒になって摺動体２を納める格納体１を構成することとなる。
【００２２】
この実施の形態にあっては、このように構成される摺動体２の摺動方向に沿った両側部をそれぞれ後述する支持装置３によって支持するようにして、支持構造（図示の例ではカップホルダー装置）を構成させている。
【００２３】
図示の例では、かかる支持装置３は、格納体１の出入り開口１０側において、その左右側部１１、１１にそれぞれ備えられている。この例では、格納体１の側部に格納体１の内側と出入り開口１０とにおいてそれぞれ開放された支持装置３の組み込み部１２が形成されている。そしてこの例では、後述する取り付けベース３２と第一及び第二アジャスター３１２、３１３とスライドパーツ３１１と支持部材３０とを組み合わせてなる支持装置３が、支持部材３０を格納体１の内側に臨ませるようにした状態で、格納体１の左右側部１１、１１の組み込み部１２にそれぞれ組み込み取り付けられている。この例では、このように取り付けられている左側の支持装置３に対して右側の支持装置３は摺動体２の摺動方向に沿った中心線ｘａを挟んだ線対称位置に構成各部材を配するように構成されている。左右各支持装置３、３はそれぞれ、摺動体２の摺動方向（Ｘ方向と称する。図示の例では前後方向）に直交するＹ方向（図示の例では上下方向）と、このＸ方向とＹ方向とに共に直交するＺ方向（図示の例では左右方向）とに、摺動体２の後述する突条２３に対する支持部材３０の支持位置を移動調整できように構成されている。
【００２４】
これにより、この実施の形態にかかる支持構造にあっては、格納体１に対する摺動体２の納まり位置を、摺動体２の摺動方向に沿った両側部においてそれぞれ調整することができ、例えば摺動体２が格納体１に格納されきった状態においてこの出入り開口１０を摺動体２の前端部（図示の例では蓋板２０）によって偏りなく塞ぐようにすることができる。
【００２５】
また、この実施の形態にあっては、摺動体２に、この摺動体２の摺動方向に続く突条２３が形成されている。図示の例では、かかる突条２３は、摺動体２の側部の外面にこの外面から側方に突き出すようにしてこの摺動体２の左右側部にそれぞれ形成されている。かかる突条２３は、摺動体２のこの側部の前後に亘る長さを有している。また、頂部２３ａを挟んだ上方に傾斜面として構成された第一被支持面２３ｂを有すると共に、頂部２３ａを挟んだ下方に横向きの第二被支持面２３ｃを持つように構成されている。また、頂部２３ａは第一被支持面２３ｂと第二被支持面２３ｃとの間に亘る縦向きの面となっている。第一被支持面２３ｂの傾斜は突条２３の基部に向かうに連れて次第に突条２３の巾を大きくする向きの傾斜となっている。そして、図示の例では、後述する支持部材３０を構成する一対のローラ３０２、３０２のうちの上部ローラ３０２の第一被支持面２３ｂの傾斜に倣った傾斜を持った周面が付勢手段３０３の付勢によりこの第一被支持面２３ｂに押し当てられるようになっている。これにより、この例にあっては、左右の支持部材３０、３０によって摺動体２をその摺動方向に沿った両側から摺動体２の摺動の中心線ｘａ側に向けて押圧させることができ、これにより摺動体２は一定位置に位置づけられ易くなっている。
【００２６】
図示の例では、格納体１の左右側部１１、１１に備えられる支持装置３はそれぞれ、摺動体２の摺動方向（Ｘ方向）において間隔を開けた二箇所にそれぞれ支持部材３０を備えている。
【００２７】
かかる支持部材３０はいずれも、Ｙ方向（図示の例では上下方向）に沿った回転軸３０１を中心に回転されるローラ３０２によって突条２３を支持するようになっている。これにより、摺動体２を円滑に移動させるようになっている。
【００２８】
より具体的には、かかる支持部材３０は、Ｙ方向に沿った回転軸３０１を中心に回転される一対のローラ３０２、３０２間に突条２３を挟み込むようにしてこの突条２３を支持するようになっている。それと共に、支持部材３０には、この一対のローラ３０２、３０２間の間隔を狭める向きにこのローラ３０２の少なくとも一方を付勢する付勢手段３０３が備えられている。
【００２９】
図示の例では、かかる支持部材３０は、後述するスライドパーツ３１１に支持されている。かかるスライドパーツ３１１は、天板３１１ａと底板３１１ｄと前後板３１１ｇ、３１１ｉとを備えると共にこれらによって囲繞された空間を塞ぐ奥板３１１ｋとを備え、格納体１の内側に向けられる側を開放させた箱状をなすように構成されている。このスライドパーツ３１１の天板３１１ａの内面と底板３１１ｄの内面とにはそれぞれ、Ｚ方向（図示の例では左右方向）に沿い且つスライドパーツ３１１の開放側で溝端を外方に開放させてこの開放された溝端を支持部材３０の組み込み部とした長溝３１１ｎが形成されている。支持部材３０は、一対のローラ３０２、３０２を回転軸３０１に通すと共にこの回転軸３０１の上端と下端とにそれぞれ鍔３０４ａ付きのカラー３０４を嵌めて構成されている。また、回転軸３０１の上端に嵌められたカラー３０４と上側のローラ３０２との間には回転軸３０１に付勢手段３０３としての圧縮コイルバネが巻装されており、図中符号３０５で示されるスペーサを介して上側のローラ３０２の下部は下側のローラ３０２の上部に設けられたスリーブ部３０２ａの上端に押し付けられるようになっている。一対のローラ３０２、３０２間の間隔は上側のローラ３０２の下部が下側のローラ３０２の上部に設けられたスリーブ部３０２ａの上端に突き当たる位置で最小となるようになっている。そして、かかる支持部材３０は、スライドパーツ３１１の天板３１１ａに設けられた長溝３１１ｎに上側のカラー３０４の鍔３０４ａより上の部分をを入れ込み、かつ、底板３１１ｄに設けられた長溝３１１ｎに下側のカラー３０４の鍔３０４ａより下の部分を入れ込ませることによりＺ方向への移動を可能とした状態でこのスライドパーツ３１１に支持されている。
【００３０】
これにより、この実施の形態にあっては、突条２３を一対のローラ３０２、３０２で挟み込むことでＹ方向への摺動体２の位置ズレを付勢手段３０３によって矯正できるようにした状態で摺動体２の円滑な移動を支持部材３０によって確保させることができるようになっている。また、後述するアジャスト手段３１による支持部材３０の支持位置の移動調整に追随して摺動体２の格納体１への納まり位置を調整させることができるようになっている。
【００３１】
アジャスト手段３１は、支持部材３０の支持位置、図示の例では一対のローラ３０２、３０２における突条２３に接する箇所の位置を、Ｙ方向とＺ方向とにそれぞれ移動調整可能とするものである。図示の例では、格納体１内における摺動体２の納まり位置を、かかるアジャスト手段３１によって上下および左右に調整できるようになっている。
【００３２】
アジャスト手段３１は、
（１）第一アジャスター３１２
（２）第二アジャスター３１３
（３）スライドパーツ３１１
とから構成されている。
【００３３】
第一アジャスター３１２は、取り付けベース３２に対しＸ方向にのみ移動可能に組み合わされている。図示の例では、取り付けベース３２は、下部室３２２と上部室３２１とを有している。上部室３２１はスライドパーツ３１１が納まる大きさを持つと共に、取り付け状態において格納体１の内側に向けられる側を開放させており、摺動体２に形成された突条２３をこの開放部３２１ａから受け入れスライドパーツ３１１に支持された支持部材３０によって支持できるように構成されている。上部室３２１の前壁３２１ｂにはスライドパーツ３１１の前板３１１ｇの外面に形成されたＹ方向に沿ったリブ３１１ｈの納まる案内溝３２１ｃが、また、上部室３２１の後壁３２１ｄにはスライドパーツ３１１の後板３１１ｉの外面に形成されたＹ方向に沿ったリブ３１１ｊの納まる案内溝３２１ｅがそれぞれ設けられており、これによりスライドパーツ３１１は取り付けベース３２内においてＹ方向にのみ移動できるようにこの取り付けベース３２に支持されている。このように取り付けベース３２に組み合わされるスライドパーツ３１１の底板３１１ｄの外面にはＸ方向に沿って長く続く突き出し部３１１ｏが形成され、この突き出し部３１１ｏが下部室３２２に納まるようになっている。第一アジャスター３１２は、巾方向の断面を略コ字状とするレール状をなし、この突き出し部３１１ｏを内側に納めるようにしてスライドパーツ３１１の底部側に組み合わされ下部室３２２内にあってＸ方向に移動できるようになっている。取り付けベース３２の下部室３２２の前部と後部にはそれぞれこの第一アジャスター３１２の前部３１２ａと後部３１２ｂとを常時突き出させる窓穴３２２ａが形成されており、第一アジャスター３１２この窓穴３２２ａに通されてＸ方向への移動のみが許容されている。
【００３４】
第二アジャスター３１３は、スライドパーツ３１１内にＸ方向の移動を可能とした状態で納められる前後寸法を持つと共に、このスライドパーツ３１１の奥板３１１ｋに接する奥板３１３ａの上下に格納体１の内側に向けて突き出す天板３１３ｃと底板３１３ｄとを備えている。図示の例では、スライドパーツ３１１の天板３１１ａと底板３１１ｄの内面にぞれぞれ、この第二アジャスター３１３の前端と後端にスライドパーツ３１１の開口側から掛合する掛合爪３１１ｂ、３１１ｅが備えられており、この掛合によって第二アジャスター３１３はスライドパーツ３１１に対しＸ方向にのみ移動可能に組み合わされている。
【００３５】
そして、第一アジャスター３１２とスライドパーツ３１１とは、これらの一方に備えられてＸ方向に続き且つＹ方向での溝前端の位置と溝後端の位置とを異ならせるＹ方向動作用溝３１２ｅと、これらの他方に備えられてこのＹ方向動作用溝３１２ｅに納まる突部３１１ｐとによって連係されている。図示の例では、スライドパーツ３１１の突き出し部３１１ｏのその長さ方向に沿った両側部にそれぞれかかる突部３１１ｐが設けられ、また、第一アジャスター３１２の両側部３１２ｃ、３１２ｃにそれぞれこの突部３１１ｐを納めるＹ方向動作用溝３１２ｅが形成されている。図示の例では、Ｙ方向動作用溝３１２ｅは第一アジャスター３１２の両側部３１２ｃ、３１２ｃにおいてそれぞれ前後に間隔を開けて二箇所に設けられており、スライドパーツ３１１の突部３１１ｐもこのＹ方向動作用溝３１２ｅのそれぞれに対応するように設けられている。Ｙ方向動作用溝３１２ｅは、溝前端３１２ｆに向かうに連れて斜上するように設けられており、突部３１１ｐもこれと同じ斜め上がりに続くリブ状をなすが、突部３１１ｐの全長はＹ方向動作用溝３１２ｅの全長よりも短くなっている。
【００３６】
一方、第二アジャスター３１３には、Ｘ方向に続き且つＺ方向での溝前端の位置と溝後端の位置とを異ならせるＺ方向動作用溝３１３ｅが備えられており、このＺ方向動作用溝３１３ｅに支持部材３０の一部が納められている。図示の例では、第二アジャスター３１３の天板３１３ｃは支持部材３０の上側のカラー３０４の鍔３０４ａとスライドパーツ３１１の天板３１１ａの内面との間にあって、この天板３１３ｃに貫通状態に設けられたＺ方向動作用溝３１３ｅにこのカラー３０４の鍔３０４ａよりも上の部分を入れ込ませており、また、第二アジャスター３１３の底板３１３ｄは支持部材３０の下側のカラー３０４の鍔３０４ａとスライドパーツ３１１の底板３１１ｄの内面との間にあって、この底板３１３ｄに貫通状態に設けられたＺ方向動作用溝３１３ｅにこのカラー３０４の鍔３０４ａよりも下の部分を入れ込ませている。Ｚ方向動作用溝３１３ｅは、溝前端に向かうに連れて格納体１の内側に近づくように形成されている。
【００３７】
第一アジャスター３１２をＸ方向に移動操作すると、Ｙ方向動作用溝３１２ｅの形状によって取り付けベース３２にＹ方向にのみ移動可能に組み合わされているスライドパーツ３１１はこのＹ方向の一方側又は他方側に向けてスライド移動される。また、第二アジャスター３１３をＸ方向に移動操作すると、Ｚ方向動作用溝３１３ｅの形状によってスライドパーツ３１１にＺ方向にのみ移動可能に組み合わされている支持部材３０はこのＺ方向の一方側又は他方側に向けてスライド移動される。これによって、突条２３に対する支持部材３０の支持位置をＹ方向およびＺ方向に調整して格納体１への摺動体２の納まり位置を調整させことができる。
【００３８】
図示の例では、取り付けベース３２の上部室３２１および下部室３２２における格納体１の側部１１内面に向き合う側部３２３およびスライドパーツ３１１の奥板３１１ｋにそれぞれＸ方向に長い操作用窓３２４、３１１ｍが設けられていると共に、第二アジャスター３１３の奥板３１３ａと第一アジャスター３１２の側部３１２ｃとにはそれぞれこの操作用窓３２４、３１１ｍに臨む操作用孔３１３ｂ、３１２ｄが形成され、さらに格納体１の側部１１にはこの操作用窓３２４、３１１ｍに連通する操作用開放部１３が形成されており、これらを利用して操作用孔３１３ｂ、３１２ｄにドライバの先端などを引っ掛けることで第一及び第二アジャスター３１２、３１３をＸ方向に移動させることができるようになっている。（図２、図３）
【００３９】
また、図示の例では、第一アジャスター３１２の長さ方向略中程の位置においてその底部に小突起３１２ｇが形成されていると共にこれにＸ方向に亘る各位置でそれぞれ掛合するＸ方向の断面を山と谷を交互に持ったジグザグ形にした掛合面３２５ａが取り付けベース３２の底壁３２５に形成されており、また、第二アジャスター３１３の長さ方向略中程の位置においてその天板３１３ｃと底板３１３ｄとにそれぞれ小突起３１３ｆが形成されていると共にこれにＸ方向に亘る各位置でそれぞれ掛合するＸ方向の断面を前記のようなジグザグ形にした掛合面３１１ｃ、３１１ｆがスライドパーツ３１１の天板３１１ａと底板３１１ｄとにそれぞれ形成されており、第一及び第二アジャスター３１２、３１３を調整後の移動位置にそれぞれ安定的に位置づけることができるようになっている。
【図面の簡単な説明】
【００４０】
【図１】支持構造の平面構成図
【図２】同側面構成図
【図３】同側面構成図
【図４】支持装置３の側面構成図（図１の上側の支持装置３を格納体１の内側から視た状態）
【図５】支持装置３の側面構成図（図４と反対の側から視た状態）
【図６】支持装置３の断面構成図
【図７】同平面構成図
【図８】同底面構成図
【図９】同正面構成図
【図１０】同断面構成図（Ｚ方向での断面）
【図１１】同図１０と異なる位置での断面構成図
【図１２】支持部材３０の分解斜視構成図
【図１３】支持装置３の分解斜視構成図（支持部材３０を除く。）
【図１４】スライドパーツ３１１の斜視構成図
【符号の説明】
【００４１】
１  格納体
１０  出入り開口
２  摺動体
２３  突条
３  支持装置
３０  支持部材
３１  アジャスト手段
【図１】
2008285159.tif 000003
【図２】
2008285159.tif 000004
【図３】
2008285159.tif 000005
【図４】
2008285159.tif 000006
【図５】
2008285159.tif 000007
【図６】
2008285159.tif 000008
【図７】
2008285159.tif 000009
【図８】
2008285159.tif 000010
【図９】
2008285159.tif 000011
【図１０】
2008285159.tif 000012
【図１１】
2008285159.tif 000013
【図１２】
2008285159.tif 000014
【図１３】
2008285159.tif 000015
【図１４】
2008285159.tif 000016
【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
格納体にこの格納体の出入り開口を通じた出し入れ可能に組み合わされる摺動体及びこの格納体のいずれか一方に備えられて、これらの他方に備えられるこの摺動体の摺動方向に続く突条を支持する支持部材を備えてなり、
支持部材は、前記摺動方向をＸ方向としたときにこのＸ方向に直交するＹ方向に沿った回転軸を中心に回転される一対のローラ間に突条を挟み込むようにしてこの突条を支持するようになっていると共に、
支持部材には、この一対のローラ間の間隔を狭める向きにこのローラの少なくとも一方を付勢する付勢手段が備えられていることを特徴とする摺動体の支持装置。
【請求項２】
摺動体の摺動方向に沿った両側部をそれぞれ請求項１に記載の摺動体の支持装置によって支持していることを特徴とする摺動体の支持構造。
【請求項３】
摺動体の支持装置を構成する支持部材に対する突条の被支持面を傾斜面とさせていることを特徴とする請求項２記載の摺動体の支持構造。
【手続補正２】
【補正対象書類名】明細書
【補正対象項目名】全文
【補正方法】変更
【補正の内容】
【発明の詳細な説明】
【技術分野】
【０００１】
この発明は、格納体にこの格納体の出入り開口を通じた出し入れ可能に組み合わされる摺動体をこの摺動を円滑に行わしむるように支持すると共に、その支持位置を調整可能とした支持装置およびかかる格納体と摺動体と支持装置を含んで構成される摺動体の支持構造に関する。
【背景技術】
【０００２】
レールに対してスライド可能にはめ込まれ、且つこのレールの内面に当接されるサポート部材を、摺動体側に備えさせ、摺動方向に直交する向きでの摺動体のガタツキなどを防止するものとして、特許文献１に示されるものがある。
【０００３】
しかし、この特許文献１のものの場合、前記ガタツキは防止できてもレールに対する摩擦力が高くなってスムースな摺動体の移動が損なわれやすい。
【特許文献１】実公平８−５０６８号公報
【発明の開示】
【発明が解決しようとする課題】
【０００４】
この発明が解決しようとする主たる問題点は、この種の摺動体の移動をスムースに行わしむるようにする点にある。
【課題を解決するための手段】
【０００５】
前記課題を達成するために、この発明にあっては、摺動体の支持装置を、格納体にこの格納体の出入り開口を通じた出し入れ可能に組み合わされる摺動体及びこの格納体のいずれか一方に備えられて、これらの他方に備えられるこの摺動体の摺動方向に続く突条を支持する支持部材を備えてなり、
支持部材は、前記摺動方向をＸ方向としたときにこのＸ方向に直交するＹ方向に沿った回転軸を中心に回転される一対のローラ間に突条を挟み込むようにしてこの突条を支持するようになっていると共に、
支持部材には、この一対のローラ間の間隔を狭める向きにこのローラの少なくとも一方を付勢する付勢手段が備えられているものとした。
【０００６】
このようにした場合、突条を一対のローラで挟み込むことでＹ方向への摺動体の位置ズレを付勢手段によって矯正できるようにした状態で摺動体の円滑な移動を支持部材によって確保させることができる。
【０００７】
また、この発明にかかる摺動体の支持構造は、摺動体の摺動方向に沿った両側部をそれぞれ以上に述べた摺動体の支持装置によって支持させるようにしたものである。
【０００８】
また、このように支持構造において、支持装置を構成する支持部材に対する突条の被支持面を傾斜面とさせておけば、左右の支持部材によって摺動体をその摺動方向に沿った両側から摺動体の摺動の中心線側に向けて押圧させることができ、これにより摺動体を一定位置に位置づけさせ易くできる。
【発明の効果】
【０００９】
この発明にかかる支持装置によれば、突条を一対のローラで挟み込むことでＹ方向への摺動体の位置ズレを付勢手段によって矯正できるようにした状態で摺動体の円滑な移動を支持部材によって確保させることができる。
【発明を実施するための最良の形態】
【００１０】
以下、図１〜図１４に基づいて、この発明を実施するための最良の形態について説明する。
【００１１】
なお、ここで図１ないし図３は、この発明を適用して構成された支持構造の一例をそれぞれ示しおり、図１および図２において後述するＸ方向を矢印ｘにて、Ｙ方向を矢印ｙにて、Ｚ方向を矢印ｚにて、それぞれ示している。
【００１２】
また、図４〜図１１は、かかる支持構造を構成する支持装置３をそれぞれ表しており、また、図１２は、この支持装置３を構成する支持部材３０の構成各部品を分離させた状態として、また、図１３は、この支持装置３を構成するスライドパーツ３１１、第一アジャスター３１２、第二アジャスター３１３および取り付けベース３２を分離させた状態として、また、図１４は、このうちのスライドパーツ３１１を図１３と異なる向きから視て示している。
【００１３】
この実施の形態にかかる支持装置３は、格納体１にこの格納体１の出入り開口１０を通じた出し入れ可能に組み合わされる摺動体２をこの摺動を円滑に行わしむるように支持すると共に、その支持位置を調整可能としたものである。また、この実施の形態にかかる支持構造は、かかる格納体１と摺動体２と支持装置３を含んで構成されるものである。
【００１４】
図示の例では、かかる摺動体２を引き出しとした例を示している。一方、図示の例では、格納体１は、上下方向を小さく、前後方向と左右方向とを共に大きく構成された、平面視の状態においておおむね正方形の輪郭を持った箱状体として構成されている。（図１）格納体１の前面に前記正方形の一辺に亘るような左右方向に長い出入り開口１０が形成されている。摺動体２は、格納体１の左右側部１１、１１の内面間に隙間少なく納まる巾を有すると共に、その前端に出入り開口１０を前方から覆う大きさの蓋板２０を有している。そして、摺動体２は、この蓋板２０によって出入り開口１０を塞ぐ格納位置（図３の位置）から前方に向けて引き出し移動され、また、引き出された摺動体２は再び格納位置まで入れ込み移動されるようになっている。図示の例では、かかる摺動体２には左右二箇所に容器挿入孔２１が設けられると共に、摺動体２の下面側には摺動体２が引き出しきられた位置で前端を下方に降下させて容器挿入孔２１の直下にこの前端を位置させるように後端側で摺動体２に回動可能に支持された容器底部の支持アーム２２が備えられている。そして、摺動体２を引き出した状態で容器挿入孔２１に上方から入れ込まれた飲料容器などの側部をこの容器挿入孔２１によって、また、この飲料容器の底部を支持アーム２２の前端で支持するようになっている。すなわち、図示の例は、自動車の室内などに備えられるカップホルダーにこの発明を適用したものとなっている。例えば、摺動体２が自動車のインストルメントパネルに開設された出入り開口１０を通じた出し入れ可能なボックスやトレイなどとされる場合、この摺動体２の支持部材３０とインストルメントパネルなどとが一緒になって摺動体２を納める格納体１を構成することとなる。
【００１５】
この実施の形態にあっては、このように構成される摺動体２の摺動方向に沿った両側部をそれぞれ後述する支持装置３によって支持するようにして、支持構造（図示の例ではカップホルダー装置）を構成させている。
【００１６】
図示の例では、かかる支持装置３は、格納体１の出入り開口１０側において、その左右側部１１、１１にそれぞれ備えられている。この例では、格納体１の側部に格納体１の内側と出入り開口１０とにおいてそれぞれ開放された支持装置３の組み込み部１２が形成されている。そしてこの例では、後述する取り付けベース３２と第一及び第二アジャスター３１２、３１３とスライドパーツ３１１と支持部材３０とを組み合わせてなる支持装置３が、支持部材３０を格納体１の内側に臨ませるようにした状態で、格納体１の左右側部１１、１１の組み込み部１２にそれぞれ組み込み取り付けられている。この例では、このように取り付けられている左側の支持装置３に対して右側の支持装置３は摺動体２の摺動方向に沿った中心線ｘａを挟んだ線対称位置に構成各部材を配するように構成されている。左右各支持装置３、３はそれぞれ、摺動体２の摺動方向（Ｘ方向と称する。図示の例では前後方向）に直交するＹ方向（図示の例では上下方向）と、このＸ方向とＹ方向とに共に直交するＺ方向（図示の例では左右方向）とに、摺動体２の後述する突条２３に対する支持部材３０の支持位置を移動調整できように構成されている。
【００１７】
これにより、この実施の形態にかかる支持構造にあっては、格納体１に対する摺動体２の納まり位置を、摺動体２の摺動方向に沿った両側部においてそれぞれ調整することができ、例えば摺動体２が格納体１に格納されきった状態においてこの出入り開口１０を摺動体２の前端部（図示の例では蓋板２０）によって偏りなく塞ぐようにすることができる。
【００１８】
また、この実施の形態にあっては、摺動体２に、この摺動体２の摺動方向に続く突条２３が形成されている。図示の例では、かかる突条２３は、摺動体２の側部の外面にこの外面から側方に突き出すようにしてこの摺動体２の左右側部にそれぞれ形成されている。かかる突条２３は、摺動体２のこの側部の前後に亘る長さを有している。また、頂部２３ａを挟んだ上方に傾斜面として構成された第一被支持面２３ｂを有すると共に、頂部２３ａを挟んだ下方に横向きの第二被支持面２３ｃを持つように構成されている。また、頂部２３ａは第一被支持面２３ｂと第二被支持面２３ｃとの間に亘る縦向きの面となっている。第一被支持面２３ｂの傾斜は突条２３の基部に向かうに連れて次第に突条２３の巾を大きくする向きの傾斜となっている。そして、図示の例では、後述する支持部材３０を構成する一対のローラ３０２、３０２のうちの上部ローラ３０２の第一被支持面２３ｂの傾斜に倣った傾斜を持った周面が付勢手段３０３の付勢によりこの第一被支持面２３ｂに押し当てられるようになっている。これにより、この例にあっては、左右の支持部材３０、３０によって摺動体２をその摺動方向に沿った両側から摺動体２の摺動の中心線ｘａ側に向けて押圧させることができ、これにより摺動体２は一定位置に位置づけられ易くなっている。
【００１９】
図示の例では、格納体１の左右側部１１、１１に備えられる支持装置３はそれぞれ、摺動体２の摺動方向（Ｘ方向）において間隔を開けた二箇所にそれぞれ支持部材３０を備えている。
【００２０】
かかる支持部材３０はいずれも、Ｙ方向（図示の例では上下方向）に沿った回転軸３０１を中心に回転されるローラ３０２によって突条２３を支持するようになっている。これにより、摺動体２を円滑に移動させるようになっている。
【００２１】
より具体的には、かかる支持部材３０は、Ｙ方向に沿った回転軸３０１を中心に回転される一対のローラ３０２、３０２間に突条２３を挟み込むようにしてこの突条２３を支持するようになっている。それと共に、支持部材３０には、この一対のローラ３０２、３０２間の間隔を狭める向きにこのローラ３０２の少なくとも一方を付勢する付勢手段３０３が備えられている。
【００２２】
図示の例では、かかる支持部材３０は、後述するスライドパーツ３１１に支持されている。かかるスライドパーツ３１１は、天板３１１ａと底板３１１ｄと前後板３１１ｇ、３１１ｉとを備えると共にこれらによって囲繞された空間を塞ぐ奥板３１１ｋとを備え、格納体１の内側に向けられる側を開放させた箱状をなすように構成されている。このスライドパーツ３１１の天板３１１ａの内面と底板３１１ｄの内面とにはそれぞれ、Ｚ方向（図示の例では左右方向）に沿い且つスライドパーツ３１１の開放側で溝端を外方に開放させてこの開放された溝端を支持部材３０の組み込み部とした長溝３１１ｎが形成されている。支持部材３０は、一対のローラ３０２、３０２を回転軸３０１に通すと共にこの回転軸３０１の上端と下端とにそれぞれ鍔３０４ａ付きのカラー３０４を嵌めて構成されている。また、回転軸３０１の上端に嵌められたカラー３０４と上側のローラ３０２との間には回転軸３０１に付勢手段３０３としての圧縮コイルバネが巻装されており、図中符号３０５で示されるスペーサを介して上側のローラ３０２の下部は下側のローラ３０２の上部に設けられたスリーブ部３０２ａの上端に押し付けられるようになっている。一対のローラ３０２、３０２間の間隔は上側のローラ３０２の下部が下側のローラ３０２の上部に設けられたスリーブ部３０２ａの上端に突き当たる位置で最小となるようになっている。そして、かかる支持部材３０は、スライドパーツ３１１の天板３１１ａに設けられた長溝３１１ｎに上側のカラー３０４の鍔３０４ａより上の部分をを入れ込み、かつ、底板３１１ｄに設けられた長溝３１１ｎに下側のカラー３０４の鍔３０４ａより下の部分を入れ込ませることによりＺ方向への移動を可能とした状態でこのスライドパーツ３１１に支持されている。
【００２３】
これにより、この実施の形態にあっては、突条２３を一対のローラ３０２、３０２で挟み込むことでＹ方向への摺動体２の位置ズレを付勢手段３０３によって矯正できるようにした状態で摺動体２の円滑な移動を支持部材３０によって確保させることができるようになっている。また、後述するアジャスト手段３１による支持部材３０の支持位置の移動調整に追随して摺動体２の格納体１への納まり位置を調整させることができるようになっている。
【００２４】
アジャスト手段３１は、支持部材３０の支持位置、図示の例では一対のローラ３０２、３０２における突条２３に接する箇所の位置を、Ｙ方向とＺ方向とにそれぞれ移動調整可能とするものである。図示の例では、格納体１内における摺動体２の納まり位置を、かかるアジャスト手段３１によって上下および左右に調整できるようになっている。
【００２５】
アジャスト手段３１は、
（１）第一アジャスター３１２
（２）第二アジャスター３１３
（３）スライドパーツ３１１
とから構成されている。
【００２６】
第一アジャスター３１２は、取り付けベース３２に対しＸ方向にのみ移動可能に組み合わされている。図示の例では、取り付けベース３２は、下部室３２２と上部室３２１とを有している。上部室３２１はスライドパーツ３１１が納まる大きさを持つと共に、取り付け状態において格納体１の内側に向けられる側を開放させており、摺動体２に形成された突条２３をこの開放部３２１ａから受け入れスライドパーツ３１１に支持された支持部材３０によって支持できるように構成されている。上部室３２１の前壁３２１ｂにはスライドパーツ３１１の前板３１１ｇの外面に形成されたＹ方向に沿ったリブ３１１ｈの納まる案内溝３２１ｃが、また、上部室３２１の後壁３２１ｄにはスライドパーツ３１１の後板３１１ｉの外面に形成されたＹ方向に沿ったリブ３１１ｊの納まる案内溝３２１ｅがそれぞれ設けられており、これによりスライドパーツ３１１は取り付けベース３２内においてＹ方向にのみ移動できるようにこの取り付けベース３２に支持されている。このように取り付けベース３２に組み合わされるスライドパーツ３１１の底板３１１ｄの外面にはＸ方向に沿って長く続く突き出し部３１１ｏが形成され、この突き出し部３１１ｏが下部室３２２に納まるようになっている。第一アジャスター３１２は、巾方向の断面を略コ字状とするレール状をなし、この突き出し部３１１ｏを内側に納めるようにしてスライドパーツ３１１の底部側に組み合わされ下部室３２２内にあってＸ方向に移動できるようになっている。取り付けベース３２の下部室３２２の前部と後部にはそれぞれこの第一アジャスター３１２の前部３１２ａと後部３１２ｂとを常時突き出させる窓穴３２２ａが形成されており、第一アジャスター３１２この窓穴３２２ａに通されてＸ方向への移動のみが許容されている。
【００２７】
第二アジャスター３１３は、スライドパーツ３１１内にＸ方向の移動を可能とした状態で納められる前後寸法を持つと共に、このスライドパーツ３１１の奥板３１１ｋに接する奥板３１３ａの上下に格納体１の内側に向けて突き出す天板３１３ｃと底板３１３ｄとを備えている。図示の例では、スライドパーツ３１１の天板３１１ａと底板３１１ｄの内面にぞれぞれ、この第二アジャスター３１３の前端と後端にスライドパーツ３１１の開口側から掛合する掛合爪３１１ｂ、３１１ｅが備えられており、この掛合によって第二アジャスター３１３はスライドパーツ３１１に対しＸ方向にのみ移動可能に組み合わされている。
【００２８】
そして、第一アジャスター３１２とスライドパーツ３１１とは、これらの一方に備えられてＸ方向に続き且つＹ方向での溝前端の位置と溝後端の位置とを異ならせるＹ方向動作用溝３１２ｅと、これらの他方に備えられてこのＹ方向動作用溝３１２ｅに納まる突部３１１ｐとによって連係されている。図示の例では、スライドパーツ３１１の突き出し部３１１ｏのその長さ方向に沿った両側部にそれぞれかかる突部３１１ｐが設けられ、また、第一アジャスター３１２の両側部３１２ｃ、３１２ｃにそれぞれこの突部３１１ｐを納めるＹ方向動作用溝３１２ｅが形成されている。図示の例では、Ｙ方向動作用溝３１２ｅは第一アジャスター３１２の両側部３１２ｃ、３１２ｃにおいてそれぞれ前後に間隔を開けて二箇所に設けられており、スライドパーツ３１１の突部３１１ｐもこのＹ方向動作用溝３１２ｅのそれぞれに対応するように設けられている。Ｙ方向動作用溝３１２ｅは、溝前端３１２ｆに向かうに連れて斜上するように設けられており、突部３１１ｐもこれと同じ斜め上がりに続くリブ状をなすが、突部３１１ｐの全長はＹ方向動作用溝３１２ｅの全長よりも短くなっている。
【００２９】
一方、第二アジャスター３１３には、Ｘ方向に続き且つＺ方向での溝前端の位置と溝後端の位置とを異ならせるＺ方向動作用溝３１３ｅが備えられており、このＺ方向動作用溝３１３ｅに支持部材３０の一部が納められている。図示の例では、第二アジャスター３１３の天板３１３ｃは支持部材３０の上側のカラー３０４の鍔３０４ａとスライドパーツ３１１の天板３１１ａの内面との間にあって、この天板３１３ｃに貫通状態に設けられたＺ方向動作用溝３１３ｅにこのカラー３０４の鍔３０４ａよりも上の部分を入れ込ませており、また、第二アジャスター３１３の底板３１３ｄは支持部材３０の下側のカラー３０４の鍔３０４ａとスライドパーツ３１１の底板３１１ｄの内面との間にあって、この底板３１３ｄに貫通状態に設けられたＺ方向動作用溝３１３ｅにこのカラー３０４の鍔３０４ａよりも下の部分を入れ込ませている。Ｚ方向動作用溝３１３ｅは、溝前端に向かうに連れて格納体１の内側に近づくように形成されている。
【００３０】
第一アジャスター３１２をＸ方向に移動操作すると、Ｙ方向動作用溝３１２ｅの形状によって取り付けベース３２にＹ方向にのみ移動可能に組み合わされているスライドパーツ３１１はこのＹ方向の一方側又は他方側に向けてスライド移動される。また、第二アジャスター３１３をＸ方向に移動操作すると、Ｚ方向動作用溝３１３ｅの形状によってスライドパーツ３１１にＺ方向にのみ移動可能に組み合わされている支持部材３０はこのＺ方向の一方側又は他方側に向けてスライド移動される。これによって、突条２３に対する支持部材３０の支持位置をＹ方向およびＺ方向に調整して格納体１への摺動体２の納まり位置を調整させことができる。
【００３１】
図示の例では、取り付けベース３２の上部室３２１および下部室３２２における格納体１の側部１１内面に向き合う側部３２３およびスライドパーツ３１１の奥板３１１ｋにそれぞれＸ方向に長い操作用窓３２４、３１１ｍが設けられていると共に、第二アジャスター３１３の奥板３１３ａと第一アジャスター３１２の側部３１２ｃとにはそれぞれこの操作用窓３２４、３１１ｍに臨む操作用孔３１３ｂ、３１２ｄが形成され、さらに格納体１の側部１１にはこの操作用窓３２４、３１１ｍに連通する操作用開放部１３が形成されており、これらを利用して操作用孔３１３ｂ、３１２ｄにドライバの先端などを引っ掛けることで第一及び第二アジャスター３１２、３１３をＸ方向に移動させることができるようになっている。（図２、図３）
【００３２】
また、図示の例では、第一アジャスター３１２の長さ方向略中程の位置においてその底部に小突起３１２ｇが形成されていると共にこれにＸ方向に亘る各位置でそれぞれ掛合するＸ方向の断面を山と谷を交互に持ったジグザグ形にした掛合面３２５ａが取り付けベース３２の底壁３２５に形成されており、また、第二アジャスター３１３の長さ方向略中程の位置においてその天板３１３ｃと底板３１３ｄとにそれぞれ小突起３１３ｆが形成されていると共にこれにＸ方向に亘る各位置でそれぞれ掛合するＸ方向の断面を前記のようなジグザグ形にした掛合面３１１ｃ、３１１ｆがスライドパーツ３１１の天板３１１ａと底板３１１ｄとにそれぞれ形成されており、第一及び第二アジャスター３１２、３１３を調整後の移動位置にそれぞれ安定的に位置づけることができるようになっている。
【図面の簡単な説明】
【００３３】
【図１】支持構造の平面構成図
【図２】同側面構成図
【図３】同側面構成図
【図４】支持装置３の側面構成図（図１の上側の支持装置３を格納体１の内側から視た状態）
【図５】支持装置３の側面構成図（図４と反対の側から視た状態）
【図６】支持装置３の断面構成図
【図７】同平面構成図
【図８】同底面構成図
【図９】同正面構成図
【図１０】同断面構成図（Ｚ方向での断面）
【図１１】同図１０と異なる位置での断面構成図
【図１２】支持部材３０の分解斜視構成図
【図１３】支持装置３の分解斜視構成図（支持部材３０を除く。）
【図１４】スライドパーツ３１１の斜視構成図
【符号の説明】
【００３４】
１  格納体
１０  出入り開口
２  摺動体
２３  突条
３  支持装置
３０  支持部材
３１  アジャスト手段